【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
（ａ）ポリエステル含有物品を準備する工程、
（ｂ）ポリエステル含有物品を塩基性溶液と接触させる工程、
（ｃ）場合により、工程（ｂ）で製造された物品を洗浄する工程、
（ｄ）工程（ｂ）または工程（ｃ）で製造された物品を強鉱酸溶液と接触させる工程、
（ｅ）場合により、工程（ｄ）で製造された物品を洗浄する工程、
（ｆ）工程（ｄ）または工程（ｅ）で製造された物品を、キトサン、キトサン塩およびキトサン誘導体よりなる群から選択されるキトサン剤を含んでなる溶液と接触させる工程、
（ｇ）場合により、工程（ｆ）で製造された物品を加熱する工程、
（ｈ）工程（ｆ）または工程（ｇ）で製造された物品を単離する工程、および
（ｉ）場合により、工程（ｈ）で単離された物品を工程（ｇ）で用いられた温度よりも高い温度で加熱する工程
の順次工程を含んでなる抗菌性ポリエステル含有物品の製造方法。
【請求項２】
（ａ）その上にポリエステル含有物品が配置される供給ステーションおよびポリエステル含有物品を受け取ることができる引取ステーションを準備する工程、
（ｂ）そこで該物品が塩基性溶液に曝される第１の処理ステーションを通して供給ステーションから物品を引出す工程、
（ｃ）場合により、そこで物品が水に曝される第２の処理ステーションを通して工程（ｂ）−処理物品を引出す工程、
（ｄ）そこで物品が強鉱酸溶液に曝される第３の処理ステーションを通して工程（ｂ）−または工程（ｃ）−処理物品を引出す工程、
（ｅ）場合により、そこで物品が脱イオン水に曝される第４の処理ステーションを通して工程（ｄ）−処理物品を引出す工程、
（ｆ）そこで物品がキトサン、キトサン塩およびキトサン誘導体よりなる群から選択されるキトサン剤を含んでなる溶液に曝される第５の処理ステーションを通して工程（ｄ）−または工程（ｅ）−処理物品を引出す工程、
（ｇ）場合により、それが第５の処理ステーションを出た後で工程（ｆ）−処理物品を加熱する工程、および
（ｈ）工程（ｆ）−または工程（ｇ）−処理物品を引取ステーションに受け取らせ且つ蓄積させる工程
の順次工程を含んでなる抗菌性ポリエステル含有物品の製造方法。
【請求項３】
工程（ｂ）および（ｃ）を一緒になって物品の重量を１〜３０パーセントだけ減少させるのに十分な時間行う請求項２に記載の方法。
【請求項４】
強鉱酸溶液が２未満のｐＫａを有する強鉱酸を含んでなる請求項１または２に記載の方法。
【請求項５】
キトサン剤を含んでなる溶液がモノ−、ジ−およびポリカルボン酸よりなる群から選択される希水溶性有機酸中のキトサンの溶液である請求項１または２に記載の方法。
【請求項６】
キトサン剤を含んでなる溶液が希水性酢酸中のキトサンである請求項１または２に記載の方法。
【請求項７】
工程（ｆ）、（ｇ）、（ｈ）または（ｉ）で製造された物品を、金属塩を含んでなる溶液、カルボキシル含有ポリマーを含んでなる溶液、キトサン剤を含んでなる追加の溶液、またはそれらの組合せと接触させる工程をさらに含んでなる請求項１に記載の方法であって、製造された物品の表面がキトサン、金属塩、またはそれらの組合せを含んでなる方法。
【請求項８】
工程（ｆ）−、（ｇ）−、または（ｈ）−処理物品を、金属塩を含んでなる溶液、カルボキシル含有ポリマーを含んでなる溶液、キトサン剤を含んでなる追加の溶液、またはそれらの組合せを含有する後のステーションを通して引出す工程をさらに含んでなる請求項２に記載の方法であって、製造された物品の表面がキトサン、金属塩またはそれらの組合せを含んでなる方法。
【請求項９】
金属塩が可溶性銀塩、可溶性銅塩、および可溶性亜鉛塩よりなる群から選択される請求項７または８に記載の方法。
【請求項１０】
ポリエステル含有物品がフィラメント、繊維、糸、布またはフィルムの形態である請求項１または２に記載の方法。
【請求項１１】
ポリエステルがポリ（エチレンテレフタレート）、ポリ（トリメチレンテレフタレート）、ポリ（テトラメチレンテレフタレート）、ならびにそれらの共重合体およびブレンドよりなる群から選択される請求項１または２に記載の方法。
【請求項１２】
ポリエステル含有物品がポリ（エチレンテレフタレート）およびポリ（トリメチレンテレフタレート）より本質的になる複合繊維（ｂｉｃｏｍｐｏｎｅｎｔ  ｆｉｂｅｒ）の形態である請求項１または２に記載の方法。
【請求項１３】
キトサンが物品上にグラフトされた抗菌性ポリエステル含有物品。
【請求項１４】
金属塩、カルボキシル含有ポリマー、およびそれらの組合せよりなる群から選択される１種もしくはそれ以上の化合物をさらに含んでなる請求項１３に記載の抗菌性ポリエステル含有物品。
【請求項１５】
ポリエステルがポリ（エチレンテレフタレート）、ポリ（トリメチレンテレフタレート）、ポリ（テトラメチレンテレフタレート）、またはそれらの共重合体もしくはブレンドである請求項１３に記載のポリエステル含有物品。
【請求項１６】
物品がポリ（エチレンテレフタレート）およびポリ（トリメチレンテレフタレート）より本質的になる複合繊維の形態である請求項１３に記載のポリエステル含有物品。
【請求項１７】
物品がフィラメント、繊維、糸、布またはフィルムの形態である請求項１３に記載のポリエステル含有物品。
【請求項１８】
金属塩が可溶性銀塩、可溶性銅塩、および可溶性亜鉛塩よりなる群から選択される請求項１４に記載のポリエステル含有物品。
【請求項１９】
請求項１３に記載の抗菌性ポリエステル含有物品を含んでなるアパレル品目。
【請求項２０】
請求項１３に記載の抗菌性ポリエステル含有物品を含んでなるヘルスケア製品。
【請求項２１】
請求項１３に記載の抗菌性ポリエステル含有物品を含んでなるカウンター、床または壁。
【請求項２２】
請求項１３に記載の抗菌性ポリエステル含有物品を含んでなる家庭用品。
【請求項２３】
請求項１３に記載の抗菌性ポリエステル含有物品を含んでなるパッケージング。
【請求項２４】
請求項１３に記載の抗菌性ポリエステル含有物品を含んでなる肉包装用の吸収性の抗菌性パッド。
【手続補正２】
【補正対象書類名】明細書
【補正対象項目名】００７２
【補正方法】変更
【補正の内容】
【００７２】
実施例２０
抗菌性キトサン−２ＧＴ／３ＧＴ繊維の製造
イー・アイ・デュポン・ドゥ・ヌムール・アンド・カンパニー（デラウェア州ウィルミントン）製の２ＧＴ／３ＧＴ複合繊維を、順に、１０％水酸化ナトリウム水、１．０Ｍ塩酸水、水、および１％酢酸水中の０．２５％キトサン（キトクリア（登録商標）、ノルウェー国、プリメックス・イングリディエンツ社）の溶液を含有する一連の溶液トレーを約８ｍ／分の速度で通過させた。この後に繊維中の過剰の溶液をスポンジで取り除くことが続いた。繊維を、約１３０℃に加熱したドラムを包み込むことによって乾燥した。次に繊維を張力巻取機を用いて巻き取り、その後に１６０℃に加熱したローラーを包み込み、６０ｍ／分の速度で巻き取ることによる該温度での繊維のヒート・セットが続いた。２試料を繊維の異なる部分から採取し、抗菌性評価にかけた。大腸菌ＡＴＣＣ２５９２２に対するキトサン・グラフト化処理の抗菌効果を図１９に示す。
なお、本発明の主たる態様及び特徴を要約すれば以下のとおりである。
１．  （ａ）ポリエステル含有物品を準備する工程、
（ｂ）ポリエステル含有物品を塩基性溶液と接触させる工程、
（ｃ）場合により、工程（ｂ）で製造された物品を洗浄する工程、
（ｄ）工程（ｂ）または工程（ｃ）で製造された物品を強鉱酸溶液と接触させる工程、
（ｅ）場合により、工程（ｄ）で製造された物品を洗浄する工程、
（ｆ）工程（ｄ）または工程（ｅ）で製造された物品を、キトサン、キトサン塩およびキトサン誘導体よりなる群から選択されるキトサン剤を含んでなる溶液と接触させる工程、
（ｇ）場合により、工程（ｆ）で製造された物品を加熱する工程、
（ｈ）工程（ｆ）または工程（ｇ）で製造された物品を単離する工程、および
（ｉ）場合により、工程（ｈ）で単離された物品を工程（ｇ）で用いられた温度よりも高い温度で加熱する工程
の順次工程を含んでなる抗菌性ポリエステル含有物品の製造方法。
２．  （ａ）その上にポリエステル含有物品が配置される供給ステーションおよびポリエステル含有物品を受け取ることができる引取ステーションを準備する工程、
（ｂ）そこで該物品が塩基性溶液に曝される第１の処理ステーションを通して供給ステーションから物品を引出す工程、
（ｃ）場合により、そこで物品が水に曝される第２の処理ステーションを通して工程（ｂ）−処理物品を引出す工程、
（ｄ）そこで物品が強鉱酸溶液に曝される第３の処理ステーションを通して工程（ｂ）−または工程（ｃ）−処理物品を引出す工程、
（ｅ）場合により、そこで物品が脱イオン水に曝される第４の処理ステーションを通して工程（ｄ）−処理物品を引出す工程、
（ｆ）そこで物品がキトサン、キトサン塩およびキトサン誘導体よりなる群から選択されるキトサン剤を含んでなる溶液に曝される第５の処理ステーションを通して工程（ｄ）−または工程（ｅ）−処理物品を引出す工程、
（ｇ）場合により、それが第５の処理ステーションを出た後で工程（ｆ）−処理物品を加熱する工程、および
（ｈ）工程（ｆ）−または工程（ｇ）−処理物品を引取ステーションに受け取らせ且つ蓄積させる工程
の順次工程を含んでなる抗菌性ポリエステル含有物品の製造方法。
３．  工程（ｂ）および（ｃ）を一緒になって物品の重量を１〜３０パーセントだけ減少させるのに十分な時間行う上記２に記載の方法。
４．  工程（ｂ）および（ｃ）を一緒になって物品の重量を１〜１０パーセントだけ減少させるのに十分な時間行う上記２に記載の方法。
５．  塩基性溶液が可溶性第Ｉ族水酸化物、可溶性第ＩＩ族水酸化物、可溶性第ＩＩＩ族水酸化物、水酸化アンモニウム、およびアルキル置換された水酸化アンモニウムよりなる群から選択される塩基を含んでなり、且つ塩基を水または水とメタノール、エタノール、プロパノール、エチレングリコール、プロピレングリコール、アセトニトリル、ジメチルホルムアミド、およびジメチルアセトアミドよりなる群から選択される１種もしくはそれ以上の水溶性有機溶媒との混合物中に溶解する上記１または２に記載の方法。
６．  工程（ｂ）を１０℃〜９０℃の温度で行う上記１または２に記載の方法。
７．  強鉱酸溶液が２未満のｐＫａを有する強鉱酸を含んでなる上記１または２に記載の方法。
８．  キトサン剤を含んでなる溶液がモノ−、ジ−およびポリカルボン酸よりなる群から選択される希水溶性有機酸中のキトサンの溶液である上記１または２に記載の方法。
９．  キトサン剤を含んでなる溶液が希水性酢酸中のキトサンである上記１または２に記載の方法。
１０．  該溶液が溶液の０．２５％〜５．０容量％の希水性酢酸と０．２５％〜８．０重量％のキトサンとを含んでなる上記９に記載の方法。
１１．  工程（ｃ）のおよび工程（ｅ）の洗浄を脱イオン水を用いて行う上記１に記載の方法。
１２．  工程（ｇ）の加熱を３５℃〜１９０℃の温度で行う上記１または２に記載の方法。
１３．  工程（ｇ）の加熱を３０秒〜２０時間行う上記１または２に記載の方法。
１４．  物品の重量を減少させるのに十分な時間が２秒〜３０秒である上記３に記載の方法。
１５．  工程（ｆ）、（ｇ）、（ｈ）または（ｉ）で製造された物品を、金属塩を含んでなる溶液、カルボキシル含有ポリマーを含んでなる溶液、キトサン剤を含んでなる追加の溶液、またはそれらの組合せと接触させる工程をさらに含んでなる上記１に記載の方法であって、製造された物品の表面がキトサン、金属塩、またはそれらの組合せを含んでなる方法。
１６．  工程（ｆ）−、（ｇ）−、または（ｈ）−処理物品を、金属塩を含んでなる溶液、カルボキシル含有ポリマーを含んでなる溶液、キトサン剤を含んでなる追加の溶液、またはそれらの組合せを含有する後のステーションを通して引出す工程をさらに含んでなる上記２に記載の方法であって、製造された物品の表面がキトサン、金属塩またはそれらの組合せを含んでなる方法。
１７．  金属塩が可溶性銀塩、可溶性銅塩、および可溶性亜鉛塩よりなる群から選択される上記１５または１６に記載の方法。
１８．  金属塩が硝酸銀、硫酸銅、および硫酸亜鉛よりなる群から選択される上記１５または１６に記載の方法。
１９．  カルボキシル含有ポリマーがポリアクリル酸またはカルボキシメチルセルロースナトリウムである上記１５または１６に記載の方法。
２０．  ポリエステル含有物品がフィラメント、繊維、糸、布またはフィルムの形態である上記１または２に記載の方法。
２１．  ポリエステルがポリ（エチレンテレフタレート）、ポリ（トリメチレンテレフタレート）、ポリ（テトラメチレンテレフタレート）、ならびにそれらの共重合体およびブレンドよりなる群から選択される上記１または２に記載の方法。
２２．  ポリエステル含有物品がポリ（エチレンテレフタレート）およびポリ（トリメチレンテレフタレート）より本質的になる複合繊維（ｂｉｃｏｍｐｏｎｅｎｔ  ｆｉｂｅｒ）の形態である上記１または２に記載の方法。
２３．  上記１に記載の方法によって製造された抗菌性ポリエステル含有物品。
２４．  上記２に記載の方法によって製造された抗菌性ポリエステル含有物品。
２５．  キトサンが物品上にグラフトされた抗菌性ポリエステル含有物品。
２６．  金属塩、カルボキシル含有ポリマー、およびそれらの組合せよりなる群から選択される１種もしくはそれ以上の化合物をさらに含んでなる上記２３、２４または２５に記載の抗菌性ポリエステル含有物品。
２７．  物品の表面がキトサン、金属塩またはそれらの組合せを含んでなる上記２６に記載の抗菌性ポリエステル含有物品。
２８．  ポリエステルがポリ（エチレンテレフタレート）、ポリ（トリメチレンテレフタレート）、ポリ（テトラメチレンテレフタレート）、またはそれらの共重合体もしくはブレンドである上記２３、２４または２５に記載のポリエステル含有物品。
２９．  物品がポリ（エチレンテレフタレート）およびポリ（トリメチレンテレフタレート）より本質的になる複合繊維の形態である上記２３に記載のポリエステル含有物品。
３０．  物品がフィラメント、繊維、糸、布またはフィルムの形態である上記２３、２４または２５に記載のポリエステル含有物品。
３１．  金属塩が可溶性銀塩、可溶性銅塩、および可溶性亜鉛塩よりなる群から選択される上記２６に記載のポリエステル含有物品。
３２．  金属塩が硝酸銀、硫酸銅、および硫酸亜鉛よりなる群から選択される上記２６に記載のポリエステル含有物品。
３３．  カルボキシル含有ポリマーがポリアクリル酸またはカルボキシメチルセルロースナトリウムである上記２６に記載のポリエステル含有物品。
３４．  上記２４に記載の抗菌性ポリエステル含有物品を含んでなるアパレル品目。
３５．  スポーツウェア、活動着、肌着、水着または医療用衣服の形態の上記３４に記載のアパレル品目。
３６．  上記２４に記載の抗菌性ポリエステル含有物品を含んでなるヘルスケア製品。
３７．  医療用ドレープ、抗菌性ワイプ、または個人用衛生製品から選択される上記３６に記載のヘルスケア製品。
３８．  上記２４に記載の抗菌性ポリエステル含有物品を含んでなるカウンター、床または壁。
３９．  上記２４に記載の抗菌性ポリエステル含有物品を含んでなる家庭用品。
４０．  上記２４に記載の抗菌性ポリエステル含有物品を含んでなるパッケージング。
４１．  上記２４に記載の抗菌性ポリエステル含有物品を含んでなる肉包装用の吸収性の抗菌性パッド。